(57)【要約】【課題】網シート状の盛土補強用ジオグリッドを用いる補強土構造物であって、ジオグリッドの巻きグセやたるみによる壁面の前倒れの防止および低コストで容易な壁面材との連結作業を提供することを目的とする。【解決手段】ロール状の盛土補強用ジオグリッドを所定の長さに切断して平板状に敷きならしその表面の幅方向左右両端部に１本づつの補強ピンを延長方向に配置し結束して板状にせしめ、ジオグリッドの巻きグセやたるみを解消することを特徴としている。【選択図】図１
2006070518.tif 000002
【特許請求の範囲】
【請求項１】
盛土を補強するために盛土内に鉛直方向に間隔をあけて敷設する盛土補強用ジオグリッドであって、ロール状のジオグリッド補強材を所定の長さに切断して敷きならしその表面の幅方向左右両端に１本づつの補強ピンを延長方向に配置し結束して板状にせしめることを特徴とするジオグリッドの補強方法。
【発明の詳細な説明】
【技術分野】
【０００１】
本発明は、コンクリートやブロックおよび鋼製枠などで形成された壁面を有する補強土構造物の、盛土を補強するため盛土内部に敷設される盛土補強用ジオグリッドの補強方法に関する。
【背景技術】
【０００２】
補強土構造物を構築するにあたり、盛土補強用ジオグリッドは図７に示すように鉛直方向に間隔をあけて壁面材と連結された状態で盛土内部に敷設される。従来の技術では、たとえばロール状で施工現場へ搬入された盛土補強用ジオグリッドを現場作業員が現場ヤードにおいて必要な長さに切りそろえてコンクリートパネルやブロックおよび鋼製枠の壁面材に連結して敷設するという手段が考えられた（例えば、特許文献１参照）。
【０００３】
【特許文献１】特開２００４−１９２４９号公報（第７頁、第１図）
【０００４】
特許文献１によると、盛土補強用ジオグリッドを壁面材と連結させたのち、巻きグセのあるジオグリッドを平板状にせしめ盛土の背面側へ緊張させた状態で固定ピンをジオグリッド背面最端部の横材に係止する状態で盛土層に打ち込み固定していた。
【発明の開示】
【発明が解決しようとする課題】
【０００５】
解決しようとする問題点は、盛土補強用ジオグリッドを施工直前に所定の長さに切断し盛土内部に敷設、盛土背面側へ緊張させた状態で固定ピンを盛土層に打ち込み固定するような従来からの手段では、敷設した段階では巻きグセやたるみが残り、またこのような現象を解消するためにジオグリッドを背面側へ緊張させた状態で固定ピンをジオグリッド背面最端部の横材に係止するように盛土内に打ち込む方法を取ってはいるが、現実には人力で緊張し巻きグセやたるみを解消させることは困難であり、たとえば重機や機械を使用するにしてもジオグリッドと連結された壁面が動く恐れがある。すなわちジオグリッドを確実に緊張させることは困難であり、緊張されていないジオグリッドが盛土内部に敷設されている状況においては壁面に作用する土圧によりジオグリッドに引張力が作用し、巻きグセやたるみの部分が延伸され壁面が前方へ傾きひいては補強土構造物が崩壊に至ることも懸念される。また、現場における切断手間や巻きグセによる連結の手間に作業時間を要し、工事費のコストアップにつながっている。
【課題を解決するための手段】
【０００６】
そこで、このような不都合を解消すべく、本発明は、盛土補強用ジオグリッドを施工現場に搬入する以前に、ジオグリッドを所定の長さに切断して平板状に敷きならした状態でその表面の幅方向左右両端部に１本づつの補強ピンを延長方向に配置し結束して板状にせしめることを特徴とする。
【発明の効果】
【０００７】
本発明によれば、盛土補強用ジオグリッド２２を所定の長さに切断して平板状に敷きならした状態でその表面の幅方向左右両端部に１本づつの補強ピン３１を延長方向に配置して番線３２等で結束して板状にせしめることで巻きグセやたるみが解消され、この状態で施工現場に搬入し壁面材２１と連結し盛土２３内部に敷設することで、ジオグリッド２２のたるみが解消し、たるみによる壁面の変形を抑止し安全で確実な補強土構造物１１が構築されるとともに、施工現場における作業手間を省力化し工事費のコストダウンが図れる利点がある。
【発明を実施するための最良の形態】
【０００８】
ロール状の盛土補強用ジオグリッド２４を所定の長さに切断して平板状に敷きならしその表面の幅方向左右両端部に１本づつの補強ピン３１を延長方向に配置し結束して板状にせしめ、ジオグリッド２２の巻きグセやたるみを解消することに実現した。
【実施例１】
【０００９】
以下、本発明の実施例を図面に基づいて説明する。
図２はロール状の盛土補強用ジオグリッド２４を示す斜視図である。
工場で製造された盛土補強用ジオグリッド２２はロール２４の状態で製品となる。幅は約１．０ｍ、長さは各品番により違っており約３０〜１００ｍのものが直径約０．３５〜０．４ｍのロール状に形成される。このようなロール形状は人力で小運搬が可能な重量、およそ３０ｋｇ程度を目安として形状を決定している。
【００１０】
図３は盛土補強用ジオグリッドの２２一部を示す平面図である。
盛土補強用ジオグリッド２２は、一方向に延びる縦材４１と縦材４１とは異なる方向に延びる横材４２により形成され、可撓性を有し、たとえばポリエチレンから成る。具体的には、ポリエチレンを用いて成型して板状の素材を形成し、この素材を厚み方向に挿通する挿通孔４４をたとえばパンチングによって形成して格子状態を得り、このような格子状態を軟化点以上かつ融点未満の温度に加熱し、前記挿通孔４４を広げるように一方向に引張り、格子の状態にジオグリッド２２が形成される。さらにポリエチレンにカーボンを含有することによって紫外線の内方への浸透を防ぎ紫外線劣化を防止するようにしてもよい。
【００１１】
図４は盛土補強用ジオグリッド２２の表面に補強ピン３１を結束させた状態を示す平面図、図５は同じ状態を示す断面図である。
盛土補強用ジオグリッド２２を所定の長さに切断して平板状に敷きならす。敷きならしたジオグリッド２２の表面に幅方向の両側端部に１本づつ、長さ方向にジオグリッド２２とほぼ同じ長さの補強ピン３１を配置し番線３２などで結束する。このとき補強ピン３１に使用する材料は鉄筋、塩ビ管、鋼管、薄板など安価で軽量、適度な剛性を有するものであればよい。
【００１２】
補強ピン３１をジオグリッド２２に固定させる手段としては番線や結束線を用いるほかに、Ｃリンガーと呼ばれる大型ホッチキスを用いれば容易に結束することが可能である。
【００１３】
また、盛土補強用ジオグリッド２２と補強ピン３１を結束するにあたっては、ジオグリッド２２を延長方向に緊張させておくことが望ましい。
【００１４】
次に、短い幅の盛土補強用ジオグリッド２２を用いた場合の補強方法を図面に基づいて説明する。
図６は短い幅の盛土補強用ジオグリッド２２の表面に補強ピン３１を結束させた状態を示す平面図である。
盛土補強用ジオグリッド２２は１．０ｍを標準幅としているが、使用するケースや箇所などによって短い幅のジオグリッドを使用するケースが発生する。短い幅のジオグリッドに関しては図５に示すように補強ピン３１を中央付近に１本配置して結束すれば十分である。
【００１５】
図１は板状の盛土補強用ジオグリッド２２を壁面材２１に連結させた状態を示す斜視図である。
以上のようにして、板状に形成された盛土補強用ジオグリッド２２を施工現場へ搬入し板状のまま壁面材２１と連結させることで、施工現場でジオグリッド２２に緊張を与えず、また固定ピンを使用せずともジオグリッド２２は巻きグセやたるみが解消されており、これらの影響による壁面の変形を解消することができた。
【００１６】
特に、壁面がコンクリートパネル構造の補強土構造体１１では壁面の前倒れによる変形が顕著であることから、ジオグリッド２２敷設時の巻きグセやたるみの解消は重要であり、本発明により問題とする課題を解決するものである。
【産業上の利用可能性】
【００１７】
網シート状の盛土補強材ジオグリッド２２を用いた補強土構造体１１のジオグリッド敷設に関して、ロール状の盛土補強材ジオグリッド２４を所定の長さに切断して平板状に敷きならし、その表面の幅方向左右両端部に１本づつの補強ピン３１を延長方向に配置し結束して板状にせしめることでジオグリッド２２の巻きグセやたるみを解消することに実現し、この状態で施工現場に搬入させ壁面材２１と連結し盛土２３内部に敷設することで、巻きグセやたるみによる壁面の変形を抑止し安全で確実な補強土構造物が構築されるとともに、施工現場における作業手間を省力化し工事費のコストダウンが可能となり低コストの補強土構造体を提供することができる。
【図面の簡単な説明】
【００１８】
【図１】本発明の実施の一形態を示す斜視図である。
【図２】本発明のロール状の盛土補強材ジオグリッドを示す斜視図である。
【図３】本発明の盛土補強用ジオグリッドの一部を示す平面図である。
【図４】本発明の実施の一形態を示す平面図である。
【図５】本発明の実施の一形態を示す断面図である。
【図６】本発明の短い幅のジオグリッドを用いた場合の形態示す平面図である。
【図７】従来の盛土補強用ジオグリッドを用いた補強土構造体の全体図である。
【符号の説明】
【００１９】
１１    補強土構造体
２１    壁面材
２２    盛土補強用ジオグリッド
２３    背面盛土
２４    ロール状の盛土補強用ジオグリッド
３１    補強ピン
３２    番線
４１    縦材
４２    横材
４３    連結金具
４４    挿通孔
【図１】
2006070518.tif 000003
【図２】
2006070518.tif 000004
【図３】
2006070518.tif 000005
【図４】
2006070518.tif 000006
【図５】
2006070518.tif 000007
【図６】
2006070518.tif 000008
【図７】
2006070518.tif 000009